【手続補正書】
【提出日】平成17年12月20日(2005.12.20)
【手続補正１】
【補正対象書類名】特許請求の範囲
【補正対象項目名】全文
【補正方法】変更
【補正の内容】
【特許請求の範囲】
【請求項１】
データを格納できる光学式記憶媒体により形成される基板（２２）と、
カード保持者を確認する、前記基板の表面に置かれた可視情報と、
カード保有者の身元を証明するためのデータを少なくとも含む、前記基板の表面に置かれたデータ記憶媒体（２４）と
を有してなる、カード保有者の身元を証明するためのセキュリティ・クリアランス・カード（１０）。
【請求項２】
前記データ記憶媒体が、符号化されたカード保有者の身元を証明するデータを含むバーコードである、請求項１に記載のセキュリティ・クリアランス・カード。
【請求項３】
前記カードが少なくとも３種類のデータ、すなわち身元データ、フィールド・データ、および他のデータを含み、身元データは前記カード所有者を証明するのに用いられ、フィールド・データは前記カード所有者に関連するデータであり、他のデータは前記カードに格納される関連事項のデータであり、
前記光学式記憶媒体は３種類のデータすべてを格納して有することができ、
前記データ記憶媒体は、身元データおよびフィールド・データだけを格納して有する、請求項１に記載のセキュリティ・クリアランス・カード。
【請求項４】
前記光学式記憶媒体がＣＤ−ＲＯＭである請求項１に記載のセキュリティ・クリアランス・カード。
【請求項５】
セキュリティ・クリアランス・カードに格納された複数のデータ部分と、
複数のセキュリティ・レベルと
を備え、前記複数のデータ部分の少なくとも１つが、セキュリティ・クリアランス・カードの所有者の少なくとも１つのバイオメトリック識別子を含み、前記複数のデータ部分が前記複数のセキュリティ・レベルに関連付けされている、請求項１に記載のセキュリティ・クリアランス・カード。
【請求項６】
カードの使用が有効になる日に対応する発効期日をさらに備える、請求項５に記載のセキュリティ・クリアランス・カード。
【請求項７】
前記複数のデータ部分の少なくとも１つが前記データ記憶媒体内に格納される、請求項５に記載のセキュリティ・クリアランス・カード。
【請求項８】
ＣＤ−ＲＯＭをさらに備え、前記複数のデータ部分の少なくとも１つが前記ＣＤ−ＲＯＭに格納される、請求項５に記載のセキュリティ・クリアランス・カード。
【請求項９】
前記カードが、データ部分を格納して有するＣＤ−ＲＯＭと、前記ＣＤ−ＲＯＭの表面に置かれるデータ記憶媒体とを備える、請求項５に記載のセキュリティ・クリアランス・カード。
【請求項１０】
前記複数のデータ部分の個々のデータを身元データ、フィールド・データ、および他のデータのいずれかとして分類し、身元データは前記カード所有者を証明するのに用いられ、フィールド・データは前記カード所有者に関連するデータであり、他のデータは前記カードに格納される関連事項のデータである、請求項５に記載のセキュリティ・クリアランス・カード。
【請求項１１】
前記カードが、データ部分を格納して有するＣＤ−ＲＯＭと、前記ＣＤ−ＲＯＭの表面に置かれるデータ記憶媒体とを備え、前記データ記憶媒体が身元データおよびフィールド・データの少なくとも１つを格納しており、前記ＣＤ−ＲＯＭが身元データ、フィールド・データ、および他のデータの少なくとも１つを格納している、請求項１０に記載のセキュリティ・クリアランス・カード。
【請求項１２】
前記複数のデータ部分の少なくともいずれかが、少なくとも１つの所有者に関連するデータと、所有者に関連する対象とを有する、請求項５に記載のセキュリティ・クリアランス・カード。
【請求項１３】
前記複数のデータ部分の少なくともいずれかが、選択された暗号化方法を用いて暗号化されている、請求項５に記載のセキュリティ・クリアランス・カード。
【請求項１４】
データを暗号化するのに用いる暗号化方法が、データに関連するセキュリティ・レベルに基づいている、請求項１３に記載のセキュリティ・クリアランス・カード。
【請求項１５】
複数の前記データ部分のそれぞれが、対応する異なるセキュリティ・レベルに関連付けされ、各データ部分がデータに関連するセキュリティ・レベルに基づく暗号化方法で暗号化されている、請求項１４に記載のセキュリティ・クリアランス・カード。
【請求項１６】
複数の暗号化方法が、動的に生成されるブロック暗号アルゴリズムである複数のアルゴリズムを含む、請求項１３に記載のセキュリティ・クリアランス・カード。
【請求項１７】
複数の暗号化方法が、所有者のバイオメトリック識別子に基づく暗号化方法を含む、請求項１３に記載のセキュリティ・クリアランス・カード。
【請求項１８】
複数の暗号化方法が、セキュリティ・クリアランス・カードの作成日に基づく暗号化方法を含む、請求項１３に記載のセキュリティ・クリアランス・カード。
【請求項１９】
前記複数のデータ部分の少なくともいずれかが、セキュリティ・クリアランス・カードに関連するイベントのレコードを含むデータログを備える、請求項５に記載のセキュリティ・クリアランス・カード。
【請求項２０】
前記データログが、前記カードに格納されたデータ部分になされる修正のレコードを含む、請求項１９に記載のセキュリティ・クリアランス・カード。
【請求項２１】
前記データログがカードの作成に関連するレコードを含む、請求項１９に記載のセキュリティ・クリアランス・カード。
【請求項２２】
前記データログが、カードが作成された日と、カードが作成された場所と、カードを作成した個人に関連するバイオメトリック・データとの少なくとも１つを含む、請求項２１に記載のセキュリティ・クリアランス・カード。
【請求項２３】
複数のデータ部分を格納して有し、各データ部分がデータのセキュリティ・レベルを定義しており、データに関連付けされたセキュリティ・レベル値を有するセキュリティ・クリアランス・カード（１０）と、
前記セキュリティ・クリアランス・カードからデータを読取りできる少なくとも１つのカード読取素子（１６）と、
前記セキュリティ・クリアランス・カードからデータ部分にアクセスするために、前記カード読取器と通信する少なくとも１つのコンピュータ・システム（３０）と
を備え、前記少なくとも１つのカード読取素子と前記少なくとも１つのコンピュータ・システムとは、それらに関連付けされており、前記カード読取素子と前記コンピュータ・システムとが前記カードからアクセスできるデータのセキュリティ・レベルを規定するセキュリティ・クリアランス値を有している、セキュリティ・システム。
【請求項２４】
少なくとも１つの前記セキュリティ・クリアランス・カードがカード所有者のバイオメトリック識別子を格納して含み、前記少なくとも１つのカード読取素子が前記セキュリティ・クリアランス・カードに格納されるバイオメトリック識別子を読取ることができるものであって、
セキュリティ・システムが、セキュリティ・クリアランス・カードの保有者のバイオメトリック・データを取り込むための少なくとも１つのバイオメトリックス・データ読取素子をさらに含み、前記コンピュータ・システムが前記カード読取素子と前記バイオメトリック・データ読取素子と通信し、前記コンピュータ・システムが、前記カード読取素子により読取られたセキュリティ・クリアランス・カードに格納されたバイオメトリック識別子と、前記バイオメトリック・データ読取素子により読取られたセキュリティ・クリアランス・カードの保有者のバイオメトリック・データとを比較し、それにより、カードの保有者がカード所有者であることを証明するものである、請求項２３に記載のセキュリティ・システム。
【請求項２５】
前記セキュリティ・クリアランス・カードは前記カード読取素子に提供され、前記カード読取素子は、前記カードに格納されている全てのデータ部分を読取るが、前記カード読取素子に関連するセキュリティ・クリアランス値によるアクセスのために指定される、関連付けられたセキュリティ・レベルを有するデータ部分だけにアクセスするものである、請求項２３に記載のセキュリティ・システム。
【請求項２６】
前記コンピュータ・システムは、前記セキュリティ・クリアランス・カードから前記カード読取素子により読取られる全データ部分を受け取り、前記コンピュータ・システムに関連するセキュリティ・クリアランス値によるアクセスのために指定される関連付けされたセキュリティ・レベルを有するデータ部分にアクセスするものである、請求項２５に記載のセキュリティ・システム。
【請求項２７】
カード読取器と通信する複数のコンピュータ・システムを備え、複数のコンピュータ・システムのそれぞれは、それに関連付けされており、当該コンピュータ・システムが前記カードからアクセスできるデータのセキュリティ・レベルを規定するセキュリティ・クリアランス値を有しており、前記カード読取素子が前記セキュリティ・クリアランス・カードのデータ部分を読取るときに、該データ部分が前記コンピュータ・システムのそれぞれに提供され、前記コンピュータ・システムのそれぞれは、前記コンピュータ・システムに関連するセキュリティ・クリアランス値に対応するデータ部分だけにアクセスする、請求項２３に記載のセキュリティ・システム。
【請求項２８】
前記セキュリティ・クリアランス・カードは、それぞれ第１および第２セキュリティ・レベルを関連付けて有する少なくとも第１および第２データ部分を有し、前記カード読取素子は、前記カード読取素子が第１セキュリティ・レベルを有するデータにアクセスできることを規定するセキュリティ・クリアランス値を有し、前記コンピュータ・システムの少なくともいずれかは、前記コンピュータ・システムが第１セキュリティ・レベルを有するデータと第２セキュリティ・レベルを有するデータとの両方にアクセスできることを示すセキュリティ・クリアランス値を有し、前記カード読取素子が前記セキュリティ・クリアランス・カードからデータを読取るときに、前記カード読取素子は、第１および第２データ部分の両方を読取り、かつ第１レベルのセキュリティを有するデータ部分にアクセスし、前記コンピュータ・システムは、前記カード読取素子から第１および第２データ部分の両方を受取り、両方のデータ部分にアクセスするものである、請求項２７に記載のセキュリティ・システム。
【請求項２９】
前記コンピュータ・システムの少なくともいずれかに関連するセキュリティ・クリアランス値は、変更可能であり、それにより前記コンピュータ・システムが前記カードからアクセスできるデータのセキュリティ・レベルを変化させるものである、請求項２７に記載のセキュリティ・システム。
【請求項３０】
前記コンピュータ・システムを操作できる複数のオペレータをさらに備え、前記オペレータのそれぞれが、それに関連付けされており、前記オペレータがアクセスできるデータのセキュリティ・レベルを規定するセキュリティ・クリアランス値を有している、請求項２７に記載のセキュリティ・システム。
【請求項３１】
複数の保護位置と前記保護位置のそれぞれに関連するカード読取器とをさらに備え、前記保護位置のそれぞれは、セキュリティ・レベル値を関連付けて有している、請求項２７に記載のセキュリティ・システム。
【請求項３２】
前記保護位置が、１つの設備、アイテムの位置、およびデータ・ファイルの位置である、請求項３１に記載のセキュリティ・システム。
【請求項３３】
各セキュリティ・クリアランス・カードが、前記セキュリティ・クリアランス・カードの所有者がアクセスできる保護位置のセキュリティ・レベルを規定する関連付けされたセキュリティ・クリアランス値を有するものであり、前記所有者が選択された保護位置だけにアクセスできる請求項３１に記載のセキュリティ・システム。
【請求項３４】
セキュリティ・クリアランス・カードに関連するセキュリティ・クリアランス値を変化させて、前記セキュリティ・クリアランス・カードの所有者によりアクセスできる特定の保護位置を変更できる、請求項３３に記載のセキュリティ・システム。
【請求項３５】
複数の保護位置をさらに備えるセキュリティ・システムであって、保護位置のそれぞれが関連するセキュリティ・レベル値を有し、カード読取素子が前記保護位置のそれぞれに関連し、前記コンピュータ・システムが前記カード読取器のそれぞれと通信し、各セキュリティ・クリアランス・カードは、それに関連付けられており、前記セキュリティ・クリアランス・カードの所有者がアクセスできるセキュリティ・レベルを示すセキュリティ・クリアランス値を有し、前記コンピュータ・システムは、保護位置のセキュリティ・レベル値を変更して、セキュリティ・クリアランス・カードの所有者が前記保護位置にアクセスできるのを変更できるものである、請求項２３に記載のセキュリティ・システム。
【請求項３６】
複数の保護位置をさらに備えるセキュリティ・システムであって、前記保護位置のそれぞれが複数の個人のだれが保護位置にアクセスするかを示すデータ・ファイルを有し、カード読取素子が前記保護位置のそれぞれに関連し、前記コンピュータ・システムが前記カード読取器のそれぞれと通信し、各セキュリティ・クリアランス・カードが、前記セキュリティ・クリアランス・カードの所有者に対応する身元値を有し、前記コンピュータ・システムが保護位置に関連するデータ・ファイルを変更して、セキュリティ・クリアランス・カードのどの所有者が前記保護位置にアクセスできるかを変更できる、請求項２３に記載のセキュリティ・システム。